(57)【要約】【課題】ヒートポンプ式給湯装置の設置工事を簡潔化することを目的とする。【解決手段】貯湯タンク４０からの排水と貯湯タンク４０の圧力逃がし弁９１からの排水の少なくとも一方と蒸発器１４、２４で発生するドレン水を共通排水口９７より排水している。これによって、筐体１００からの排水口を削減できるため、装置設置時の排水ホース敷設等の排水工事を簡潔にできる。【選択図】  図１
2004360934.tif 000002
【特許請求の範囲】
【請求項１】
圧縮機、給湯用熱交換器、膨張弁、蒸発器を冷媒配管で接続したヒートポンプサイクルと、前記給湯用熱交換器で加熱した水を貯留する貯湯タンクと、貯湯タンクの圧力逃がし弁とを備え、前記貯湯タンクからの排水と前記圧力逃がし弁からの排水の少なくとも一方と前記蒸発器で発生するドレン水を共通排水口より排水するヒートポンプ式給湯装置。
【請求項２】
タンク排水通路と、圧力逃がし排水通路と、蒸発器の下部にドレン水受けを備え、前記タンク排水通路と前記圧力逃がし排水通路の少なくとも一方から前記ドレン水受けに排水する請求項１記載のヒートポンプ式給湯装置。
【請求項３】
タンク排水口はドレン水受けよりも上方に配置した請求項２記載のヒートポンプ式給湯装置。
【請求項４】
給湯用熱交換器からの温水と貯湯タンクからの温水とを混合する第一混合手段を設けた請求項１〜３のいずれか１項記載のヒートポンプ式給湯装置。
【請求項５】
第一混合手段からの温水と水道管からの冷水とを混合する第二混合手段を設けた請求項４記載のヒートポンプ式給湯装置。
【請求項６】
ヒートポンプサイクルを複数備えた請求項１〜５のいずれか１項記載のヒートポンプ式給湯装置。
【請求項７】
ヒートポンプサイクルに用いる冷媒を二酸化炭素とし、高圧側では臨界圧を越える状態で運転する請求項１〜６のいずれか１項記載のヒートポンプ式給湯装置。
【発明の詳細な説明】
【０００１】
【発明の属する技術分野】
本発明は、ヒートポンプサイクルにより水を加熱するヒートポンプ式給湯装置に関するものである。
【０００２】
【従来の技術】
従来、この種のヒートポンプ式給湯装置は、貯湯タンクとヒートポンプサイクルを一体化した構成としている（例えば、特許文献１参照）。
【０００３】
図４は、特許文献１に記載された従来のヒートポンプ式給湯装置である。図４において１は貯湯タンクである。圧縮機２、放熱器３、減圧手段（図示せず）、吸熱器４でヒートポンプサイクルを形成している。５は吸熱器に空気を供給する送風手段である。６は注水管、７は出水管である。
【０００４】
送風手段５により供給される空気より吸熱器４が吸熱し、放熱器３からの放熱により貯湯タンク１の水が加熱される。貯湯タンク１の上部に圧縮機２、吸熱器４、送風手段５を配置し、装置の小型化を図っている。
【０００５】
【特許文献１】
特開平７−９８１５６号公報
【０００６】
【発明が解決しようとする課題】
しかしながら上記従来のヒートポンプ式給湯装置は、貯湯タンクや、貯湯タンクの圧力逃がし弁から排水するための構成は開示していない。
【０００７】
【課題を解決するための手段】
本発明は上記課題を解決するため、給湯用熱交換器で加熱した水を貯留する貯湯タンクと、貯湯タンクの圧力逃がし弁と、これらを収納する筐体とを備え、前記貯湯タンクからの排水と前記圧力逃がし弁からの排水の少なくとも一方と前記蒸発器で発生するドレン水を共通排水口より排水している。
【０００８】
これによって、筐体からの排水口を削減できるため、装置設置時の排水ホース敷設等の排水工事を簡潔にできる。
【０００９】
【発明の実施の形態】
請求項１に記載の発明は、圧縮機、給湯用熱交換器、膨張弁、蒸発器を冷媒配管で接続したヒートポンプサイクルと、前記給湯用熱交換器で加熱した水を貯留する貯湯タンクと、貯湯タンクの圧力逃がし弁とを備え、前記貯湯タンクからの排水と前記圧力逃がし弁からの排水の少なくとも一方と前記蒸発器で発生するドレン水を共通排水口より排水している。
【００１０】
そして、筐体からの排水口を削減できるため、装置設置時の排水ホース敷設等の排水工事を簡潔にできる。
【００１１】
請求項２に記載の発明は、請求項１に記載の発明において、タンク排水通路と、圧力逃がし排水通路と、蒸発器の下部にドレン水受けを備え、前記タンク排水通路と前記圧力逃がし排水通路の少なくとも一方から前記ドレン水受けに排水している。
【００１２】
そして、排水通路を合流させるための部材を削減でき、構成をさらに簡潔にできる。
【００１３】
請求項３に記載の発明は、請求項２に記載の発明において、タンク排水口はドレン水受けよりも上方に配置した。
【００１４】
そして、上方のタンク排水口からタンク水を容易に下方のドレン水受けに排水できる。
【００１５】
請求項４に記載の発明は、請求項１〜３に記載の発明において、給湯用熱交換器からの温水と貯湯タンクからの温水とを混合する第一混合手段を設けている。
【００１６】
そして、ヒートポンプ運転起動時の加熱能力の不足を補うことができる。また定常時においても加熱能力が不足しているときはその不足を補うことができる。
【００１７】
請求項５に記載の発明は、請求項４に記載の発明において、第一混合手段からの温水と水道管からの冷水とを混合する第二混合手段を設けている。
【００１８】
そして、第一混合手段から出湯する湯温が設定温度より高い場合には、水を混ぜて設定温度にすることができる。
【００１９】
請求項６に記載の発明は、請求項１〜５に記載の発明において、ヒートポンプサイクルを複数備えている。
【００２０】
そして、ヒートポンプサイクルを複数備えているので、能力に応じてヒートポンプサイクルの運転台数を切り換え、幅広い能力において大ＣＯＰにて運転することが可能となる。
【００２１】
請求項７に記載の発明は、請求項１〜６に記載の発明において、ヒートポンプサイクルに用いる冷媒を二酸化炭素とし、高圧側では臨界圧を越える状態で運転している。
【００２２】
そして、高温の湯を生成することができ、また貯湯タンクを併用する場合には高温の湯を貯留できるため貯湯タンクを小型化できる。
【００２３】
【実施例】
以下、本発明の実施例について図面を用いて説明する。
【００２４】
（実施例１）
図１は本発明の第１の実施例における回路構成図、図２は蒸発器、貯湯タンク等の配置図である。
【００２５】
まず、本実施例によるヒートポンプ式給湯装置の冷凍回路について説明する。図１〜図２において、本実施例によるヒートポンプ式給湯装置は、第１のヒートポンプサイクル１０と、第２のヒートポンプサイクル２０とを備えている。第１のヒートポンプサイクル１０及び第２のヒートポンプサイクル２０は、二酸化炭素を冷媒として用い、高圧側では臨界圧を越える状態で運転することが好ましい。
【００２６】
第１のヒートポンプサイクル１０は、圧縮機１１、給湯用熱交換器１２、膨張弁１３、及び蒸発器１４を順に配管で接続して構成されている。また、第１のヒートポンプサイクル１０は、給湯用熱交換器１２をバイパスするバイパス回路１５を備え、このバイパス回路１５には制御弁１５Ａを設けている。また、第１のヒートポンプサイクル１０には、圧縮機１１の温度を検出する温度センサ１０Ａ、圧縮機１１からの吐出冷媒温度を検出する温度センサ１０Ｂ、圧縮機１１からの吐出冷媒圧力を検出する圧力センサ１０Ｃ、蒸発器１４の出口側の低圧冷媒温度を検出する温度センサ１０Ｄ、蒸発器１４の吸入空気を検出する温度センサ１０Ｅを備えている。ここで、温度センサ１０Ａはコールドスタートの検出を、圧力センサ１０Ｃは圧縮機１１又はヒートポンプサイクル１０の異常検出を行う。
【００２７】
さらにヒートポンプサイクル１０に対応する蒸発器１４に送風するためのファン１７と風路１８を設けている。
【００２８】
一方、第２のヒートポンプサイクル２０は、圧縮機２１、給湯用熱交換器２２、風呂用熱交換器２６、膨張弁２３、及び蒸発器２４を順に配管で接続して構成されている。また、第２のヒートポンプサイクル２０は、給湯用熱交換器２２をバイパスするバイパス回路２５を備え、このバイパス回路２５には制御弁２５Ａを設けている。また、第２のヒートポンプサイクル２０には、圧縮機２１の温度を検出する温度センサ２０Ａ、圧縮機２１からの吐出冷媒温度を検出する温度センサ２０Ｂ、圧縮機２１からの吐出冷媒圧力を検出する圧力センサ２０Ｃ、蒸発器２４の出口側の低圧冷媒温度を検出する温度センサ２０Ｄ、風呂用熱交換器２６の入口冷媒温度を検出する温度センサ２０Ｆを備えている。蒸発器２４の吸入空気の検出は、温度センサ１０Ｅで兼用している。ここで、温度センサ２０Ａはコールドスタートの検出を、圧力センサ２０Ｃは圧縮機２１又はヒートポンプサイクル２０の異常検出を行う。さらにヒートポンプサイクル２０に対応する蒸発器２４に送風するためのファン２７と風路２８を設けている。なお風路１８と風路２８は互いに独立している。蒸発器１４、２４はいわゆるフィンチューブ式の熱交換器としており、一体化したフィンチューブ式熱交換器の上方を蒸発器１４として、下方を蒸発器２４として使用している。
【００２９】
次に、本実施例によるヒートポンプ式給湯装置の出湯回路について説明する。給湯用熱交換器１２の水用配管１２Ａと給湯用熱交換器２２の水用配管２２Ａとは、並列に接続されている。水用配管１２Ａ及び水用配管２２Ａの流入側は、流量調整弁３１、減圧弁３２、及び逆止弁３３を介して水道管等の水供給配管３４に接続されている。また、水用配管２２Ａの流入側には、水用配管２２Ａへの入水を阻止する制御弁３５を設けている。一方、水用配管１２Ａ及び水用配管２２Ａの流出側は、逆止弁３６、第一混合弁３７、及び第二混合弁３８を介してキッチン、又は洗面所等の給湯用の蛇口３９に接続されている。この出湯回路には、入水量を検出する流量センサ３０Ａ、入水温度を検出する温度センサ３０Ｂ、水用配管１２Ａの出口温度を検出する温度センサ３０Ｃ、水用配管２２Ａの出口温度を検出する温度センサ３０Ｄ、水用配管１２Ａと水用配管２２Ａとの混合湯温を検出する温度センサ３０Ｅ、第一混合弁３７の出口温度を検出する温度センサ３０Ｆ、及び第二混合弁３８の出口温度を検出する温度センサ３０Ｇ、給湯熱交換器１２および給湯熱交換器２２への流入流量を検出する流量センサ３０Ｈを備えている。
【００３０】
次に、本実施例によるヒートポンプ式給湯装置の貯湯回路について説明する。貯湯タンク４０の底部配管４２は、流量調整弁３１、減圧弁３２、及び逆止弁４１を介して水道管等の水供給配管３４に接続されている。この底部配管４２は、循環ポンプ４３を介して水用配管１２Ａの流入側及び水用配管２２Ａの流入側と接続されている。また、貯湯タンク４０の上部循環用配管４４は、制御弁４５を介して水用配管１２Ａの流出側及び水用配管２２Ａの流出側と接続されている。なお、本実施例による貯湯タンク４０は、積層式の給湯タンクであり、タンク内での撹拌が防止され、上部に高温水が底部に低温水が蓄積されるように構成されている。
【００３１】
一方、貯湯タンク４０の上部出湯用配管５１は、第一混合弁３７に接続されている。また、貯湯タンク４０の底部配管４２から分岐させた出水用配管５２は、逆止弁５３を介して第二混合弁３８に接続されている。なお、貯湯タンク４０には、出湯温度を検出する温度センサ４０Ａの他に、貯湯タンク４０内の湯量を検出するための複数の温度センサ４０Ｂ、４０Ｃ、４０Ｄが設けられている。また、水用配管１２Ａ及び水用配管２２Ａの分岐前の流入側配管には、貯湯タンク４０の底部配管４２から導出される湯温を検出する温度センサ４０Ｅが設けられている。
【００３２】
次に、本実施例によるヒートポンプ式給湯装置の浴槽加熱回路について説明する。風呂用熱交換器２６の水用配管２６Ａは、循環ポンプ６１を備えた浴槽用循環配管６２と接続されている。この浴槽用循環配管６２は、水用配管２６Ａをバイパスするバイパス配管６３と、水用配管２６Ａとバイパス配管６３とを切り換える三方弁６４とを備えている。また浴槽用循環配管６２には、浴槽水の循環量を検出する流量センサ６０Ａ、水用配管２６Ａの出口温度を検出する温度センサ６０Ｂ、浴槽水の循環温度を検出する温度センサ６０Ｃ、浴槽内の水位を検出する水位センサ６０Ｄを備えている。
【００３３】
なお、浴槽６０への注湯は、第二混合弁３８の下流側配管から分岐させた注湯用配管７１を用いて行うことができる。この注湯用配管７１は、浴槽用循環配管６２に接続するか、又は直接浴槽６０に導く。注湯用配管７１には、注湯弁７２及び流量を検出する流量センサ７０Ａが設けられている。
【００３４】
リモコン８１は、蛇口３９からの出湯温度の指示や、浴槽６０の沸き上げ温度及び沸き上げ開始などを指示し、このリモコン８１からの指示に基づいて第１のヒートポンプサイクル１０と第２のヒートポンプサイクル２０とを制御手段８２にて制御する。なお各種のセンサの検出値はこの制御手段８２に入力される。
【００３５】
次に、本実施例によるヒートポンプ式給湯装置の排水経路について説明する。異常水圧から貯湯タンク４０を保護する圧力逃がし弁９１を設けている。また装置の移設、メンテナンス等の時に貯湯タンク４０から排水するためタンク排水口９２Ａにタンク排水弁９２を設けている。さらに蒸発器１４、２４から発生するドレン水を受けるドレン水受け９３を設けている。そして圧力逃がし排水通路９４、タンク排水通路９５、ドレン水排水通路９６は共通排水口９７に連通させている。なお、上記説明したヒートポンプ式給湯装置は筐体１００に収納される。
【００３６】
以下、本実施例によるヒートポンプ式給湯装置の動作について説明する。まず、本実施例によるヒートポンプ式給湯装置の通常の給湯運転モードについて説明する。蛇口３９の開放を流量センサ３０Ａにて検知し、第１のヒートポンプサイクル１０及び第２のヒートポンプサイクル２０が運転を開始する。
【００３７】
第１のヒートポンプサイクル１０では、圧縮機１１で圧縮された冷媒は、給湯用熱交換器１２で放熱し、膨張弁１３で減圧された後、蒸発器１４にて吸熱し、ガス状態で圧縮機１１に吸入される。このとき、制御弁１６は閉状態で、バイパス回路１５には冷媒は流れない。
【００３８】
第２のヒートポンプサイクル２０では、圧縮機２１で圧縮された冷媒は、給湯用熱交換器２２で放熱し、膨張弁２３で減圧された後、蒸発器２４にて吸熱し、ガス状態で圧縮機２１に吸入される。このとき、制御弁２５Ａは閉状態と、バイパス回路２５には冷媒は流れない。
【００３９】
水供給配管３４から供給される水は、流量調整弁３１、減圧弁３２、及び逆止弁３３を順に通り、分岐して、給湯用熱交換器１２の水用配管１２Ａと給湯用熱交換器２２の水用配管２２Ａとにそれぞれ導かれる。水用配管１２Ａと水用配管２２Ａでそれぞれ加熱された温水は、再び合流した後に、逆止弁３６、第一混合弁３７、及び第二混合弁３８を順に通り蛇口３９に導かれる。
【００４０】
圧縮機１１での能力制御及び膨張弁１３での開度制御は、温度センサ３０Ｃでの検出温度がリモコン８１で設定された湯温に近づくように、温度センサ１０Ｂ、１０Ｄ、１０Ｅ、流量センサ３０Ａ、３０Ｈからの検出値によって制御される。
【００４１】
また、圧縮機２１での能力制御及び膨張弁２３での開度制御は、温度センサ３０Ｄでの検出温度がリモコン８１で設定された湯温に近づくように、温度センサ２０Ｂ、２０Ｄ、１０Ｅ、流量センサ３０Ａ、３０Ｈからの検出値によって制御される。
【００４２】
なお、ヒートポンプサイクル１０、２０での能力制御を行っても、給湯用熱交換器１２、２２からの水温が設定温度よりも高い場合には、出水用配管５２から第二混合弁３８に冷水を導入し、第二混合弁３８での出口温度が設定温度となるように制御する。
【００４３】
また、ヒートポンプサイクル１０、２０での能力制御を行っても、給湯用熱交換器１２、２２からの水温が設定温度よりも低い場合には、貯湯タンク４０から第一混合弁３７に温水を導入し、第一混合弁３７での出口温度が設定温度となるように制御する。さらに第一混合弁３７での出口温度が設定温度よりも低い場合は、通常全開状態の流量調整弁３１の開度を小さくし、蛇口３９からの出湯流量を少なくして第一混合弁３７での出口温度が設定温度となるように制御する。
【００４４】
次に、本実施例によるヒートポンプ式給湯装置の給湯運転モードの立ち上げ制御について説明する。圧縮機１１、２１の起動から所定の時間は、給湯用熱交換器１２、２２で十分な放熱量を得られない。従って、蛇口３９の開放を流量センサ３０Ａにて検知し、第１のヒートポンプサイクル１０及び第２のヒートポンプサイクル２０が運転を開始すると同時に、上部出湯用配管５１から貯湯タンク４０内の高温水を第一混合弁３７に導く。このとき、温度センサ３０Ｅと温度センサ４０Ａとの温度を検出し、温度センサ３０Ｆでの検出温度が設定温度となるように第一混合弁３７での混合割合を制御する。運転開始時には、給湯用熱交換器１２、２２からの水温は低いため、給湯タンク４０からの温水を多く流し、その後給湯用熱交換器１２、２２からの水温が高まるにしたがって給湯タンク４０からの温水を減少させる。そして給湯用熱交換器１２、２２からの水温が十分に高まった時点で給湯タンク４０からの出湯を停止する。
【００４５】
次に、本実施例によるヒートポンプ式給湯装置の給湯負荷が小さい場合の給湯運転モードについて説明する。給湯負荷が小さい場合の給湯運転モードでは、風呂用熱交換器２６を備えた第２のヒートポンプサイクル２０の運転を行わない。その他の動作は通常の給湯運転モードと同様であり、給湯運転モードの立ち上げ制御も行う。なお、この場合には制御弁３５を閉とし、水用配管２２Ａへの入水を阻止することが好ましい。
【００４６】
なお、本実施例では２つのヒートポンプサイクルの場合を示しているが、３つ以上のヒートポンプサイクルを備えている場合には、給湯負荷が小さい場合の給湯運転モードと同様に、風呂用熱交換器２６を備えた第２のヒートポンプサイクル２０を、風呂加熱運転のために待機させることが好ましい。
【００４７】
次に、本実施例によるヒートポンプ式給湯装置の貯湯運転モードについて説明する。貯湯運転モードでは、第１のヒートポンプサイクル１０及び第２のヒートポンプサイクル２０を運転する。なお、複数のヒートポンプサイクルの全てを運転しない場合には、風呂用熱交換器２６を備えた第２のヒートポンプサイクル２０は、運転を行わず、風呂加熱運転のために待機させることが好ましい。
【００４８】
貯湯運転モードでは、制御弁４５を開として循環ポンプ４３を運転する。循環ポンプ４３の運転により、貯湯タンク４０の底部配管４２から冷水を導出し、分岐して、給湯用熱交換器１２の水用配管１２Ａと給湯用熱交換器２２の水用配管２２Ａとにそれぞれ導かれる。給湯用熱交換器１２及び給湯用熱交換器２２で加熱された温水は、上部循環用配管４４から貯湯タンク４０の上部に戻される。圧縮機１１、２１での能力制御は、温度センサ４０Ｅによる給湯用熱交換器１２、２２の入口温度と、温度センサ３０Ｅによる給湯用熱交換器１２、２２の出口温度と、流量センサ３０Ｈによる循環流量、温度センサ１０Ｂ、１０Ｄ、１０Ｅ、２０Ｂ、２０Ｄによって制御される。貯湯タンク４０内の貯湯量は、温度センサ４０Ｂ、４０Ｃ、４０Ｄによって検出し、貯湯タンク４０内の貯湯量が所定以下であることを検出すると貯湯運転を開始し、貯湯タンク４０内の貯湯量が所定以上であることを検出すると貯湯運転を停止する。
【００４９】
次に、本実施例によるヒートポンプ式給湯装置の浴槽加熱運転モードについて説明する。浴槽加熱運転モードでは、風呂用熱交換器２６を備えた第２のヒートポンプサイクル２０の運転を行う。
【００５０】
浴槽加熱運転モードでは、制御弁２５Ａを開放する。また、水用配管２２Ａへの入水を阻止する制御弁３５を閉とすることが好ましい。
【００５１】
圧縮機２１で圧縮された冷媒は、バイパス回路２５を流れ、風呂用熱交換器２６で放熱し、膨張弁２３で減圧された後、蒸発器２４にて吸熱し、ガス状態で圧縮機２１に吸入される。
【００５２】
一方、循環ポンプ６１を運転し、浴槽６０内の浴槽水を浴槽用循環配管６２を介して水用配管２６Ａに導き、水用配管２６Ａで加熱された浴槽水を浴槽６０内に戻す。
【００５３】
圧縮機２１での能力制御及び膨張弁２３での開度制御は、温度センサ６０Ｃでの検出温度がリモコン８１で設定された湯温に近づくように、温度センサ２０Ｆ、６０Ｂ、６０Ｃ、２０Ｂ、２０Ｄ、２０Ｆ、１０Ｅからの検出値によって制御される。また、循環ポンプ６１での循環量は、流量センサ６０Ａによって制御される。浴槽６０内の温度を検出するためには、三方弁６４の切り換えによって風呂用熱交換器２６をバイパスさせ、循環ポンプ６１、バイパス配管６３、及び浴槽６０で浴槽水を循環させ、温度センサ６０Ｃにて検出を行う。
【００５４】
一方、浴槽６０に温水を補充する場合あるいは浴槽６０が空の状態から湯張りする場合には、注湯弁７２を開放して給湯運転モードと同様に制御し、注湯用配管７１から浴槽用循環配管６２を介して浴槽６０に給湯する。
【００５５】
次に、本実施例によるヒートポンプ式給湯装置の除霜運転モードについて説明する。第１のヒートポンプサイクル１０での除霜運転は、制御弁１６を開、膨張弁１３を開放し、ファン１７の動作を停止して行う。
【００５６】
圧縮機１１で圧縮された冷媒は、バイパス回路１５を流れ、蒸発器１４にて放熱し、ガス状態で圧縮機２１に吸入される。このように蒸発器１４にて所定時間冷媒を放熱させることで、蒸発器１４の除霜を行うことができる。なお、着霜の検出は、温度センサ１０Ｄおよび温度センサ１０Ｅによって行う。
【００５７】
第２のヒートポンプサイクル２０での除霜運転は、制御弁２５Ａを開、膨張弁２３を開放し、ファン２７の動作を停止して行う。
【００５８】
圧縮機２１で圧縮された冷媒は、バイパス回路２５を流れ、蒸発器２４にて放熱し、ガス状態で圧縮機２１に吸入される。このように蒸発器２４にて所定時間冷媒を放熱させることで、蒸発器２４の除霜を行うことができる。なお、着霜の検出は、温度センサ２０Ｄおよび温度センサ１０Ｅによって行う。
【００５９】
次に、本実施例によるヒートポンプ式給湯装置の排水方法について説明する。ヒートポンプサイクル１０、２０の動作中には蒸発器１４、２４にてドレン水が発生する。発生したドレン水はドレン水受け９３に落下し、ドレン水排水経路９６を流れて、共通排水口９７より排水される。また貯湯タンク４０の水温が異常高温になり、貯湯タンク４０の圧力が異常高圧になったとき、圧力逃がし弁９１が開となり、圧力逃がし排水通路９４を通じて共通排水口９７より排水される。さらにまた装置の移設、メンテナンス等の時に貯湯タンク４０から排水する際には、圧力逃がし弁９１、タンク排水弁９２を手動で開とし、圧力逃がし排水通路９４、タンク排水通路９５を通じて共通排水口９７より排水する。共通排水口９７を設けたことにより、筐体１００からの排水口を削減できるため、装置設置時の排水ホース敷設等の排水工事を簡潔にできる。
【００６０】
（実施例２）
本実施例において実施例１と異なる点は、圧力逃がし排水通路９４とタンク排水通路９５からドレン水受け９３に排水するよう構成したことである。ここで圧力逃がし弁９１とタンク排水口９２Ａはドレン水受け９３よりも上方に配置している。
【００６１】
これにより、排水通路を合流させるための部材を削減でき、構成をさらに簡潔にできる。またタンク排水口９２Ａからタンク水を容易に下方のドレン水受け９３に排水できる。
【００６２】
なお、上記実施例では圧力逃がし排水通路９４とタンク排水通路９５とドレン水排水通路９６を共通排水口９７と連通させた場合で説明したが、圧力逃がし排水通路９４とタンク排水通路９５のどちらか片方とドレン水通路９６の排水口を共通化してもよい。
【００６３】
また、上記実施例では冷媒として二酸化炭素を用いた場合で説明したが、冷媒として４１０Ａ冷媒（フロンガス）やＨＣ冷媒（プロパンガス、ブタンガス等）やアンモニアガス冷媒などのその他の冷媒を用いてもよい。
【００６４】
また、上記実施例では、第１のヒートポンプサイクル１０と第２のヒートポンプサイクル２０とを備えたヒートポンプ式給湯装置を用いて説明したが、３つ以上のヒートポンプサイクルを用いてもよい。
【００６５】
また、上記実施例では給湯用熱交換器１２からの温水と給湯用熱交換器２２からの温水を合流させて蛇口３９などから出湯させたが、それぞれの給湯熱交換器からの温水を別々に出湯するように構成することもできる。この時ヒートポンプサイクルを異なる条件で運転させると２温度出湯が可能となる。
【００６６】
また、上記実施例において、風呂用熱交換器２６を備えた第２のヒートポンプサイクル２０に、給湯用熱交換器２２への冷媒流入を阻止する制御弁を設けることが更に好ましい。
【００６７】
また、上記実施例では、給湯用熱交換器１２及び給湯用熱交換器２２で加熱された温水を、上部循環用配管４４から貯湯タンク４０の上部に戻す構成としたが、上部循環用配管４４及び制御弁４５を設けることなく、第一混合弁３７を用いて給湯用熱交換器１２及び給湯用熱交換器２２の出口側配管と上部出湯用配管５１とを連通させることで、給湯用熱交換器１２及び給湯用熱交換器２２で加熱された温水を貯湯タンク４０の上部に戻す構成としてもよい。
【００６８】
また、上記実施例では、風呂用熱交換器２６を備えた第２のヒートポンプサイクル２０は、給湯用熱交換器２２と風呂用熱交換器２６とを選択的に利用する場合を説明したが、給湯用熱交換器２２及び風呂用熱交換器２６を同時に利用した運転を行うこともできる。
【００６９】
また、第１のヒートポンプサイクル１０にも第２のヒートポンプサイクル２０と同じ構成となるように風呂用熱交換器２６を設けてもよく、また風呂用熱交換器２６以外の利用側熱交換器としてもよい。
【００７０】
また、上記説明における風呂用熱交換器２６を、例えば床暖房や温風機器などの暖房用熱交換器として利用することもできる。
【００７１】
【発明の効果】
以上説明したように本発明のヒートポンプ式給湯装置は、貯湯タンクからの排水と貯湯タンクの圧力逃がし弁からの排水の少なくとも一方と蒸発器で発生するドレン水を共通排水口より排水しているので、筐体からの排水口を削減できるため、装置設置時の排水ホース敷設等の排水工事を簡潔にできる。
【図面の簡単な説明】
【図１】本発明の実施例１におけるヒートポンプ式給湯装置の回路構成図
【図２】同ヒートポンプ式給湯装置の蒸発器、貯湯タンク等の配置図
【図３】本発明の実施例２におけるヒートポンプ式給湯装置の蒸発器、貯湯タンク等の配置図
【図４】従来のヒートポンプ式給湯装置を示す構成模式図
【符号の説明】
１０  第１のヒートポンプサイクル
１１  圧縮機
１２  給湯用熱交換器
１３  膨張弁
１４  蒸発器
２０  第２のヒートポンプサイクル
２１  圧縮機
２２  給湯用熱交換器
２３  膨張弁
２４  蒸発器
２６  風呂用熱交換器
３７  第一混合弁
３８  第二混合弁
４０  貯湯タンク
９１  圧力逃がし弁
９３  ドレン水受け
９４  圧力逃がし排水通路
９５  タンク排水通路
９６  ドレン水排水通路
９７  共通排水口
１００  筐体
【図１】
2004360934.tif 000003
【図２】
2004360934.tif 000004
【図３】
2004360934.tif 000005
【図４】
2004360934.tif 000006